(57)【要約】【課題】  コーディネートを作成する際に、そのコーディネートの内容及びそのコーディネートに関する各種情報を管理するとともに、その管理情報の入力を簡略化し、さらに各種の検索を容易としたデータ管理装置を提供する。【解決手段】  過去に着用したコーディネートを記録し、そのコーディネート情報とそのコーディネートをいつ、どこに、誰とあったときになどの関連情報を付加してデータベースに格納し、検索することができるような構成とした。【選択図】  図１
2010128902.tif 000002
【特許請求の範囲】
【請求項１】
任意のデータを組み合わせてコーディネートを作成するコーディネート作成手段と、
前記コーディネート作成手段によって作成されたコーディネートを当該コーディネートに関連する情報を付加して記憶する記憶手段と、
前記コーディネート作成手段によって作成したコーディネートに類似するコーディネートを前記記憶手段に記憶されている複数のコーディネートから検索する検索手段と、
前記検索手段によって検索されたコーディネートを表示手段に表示させるとともに、前記コーディネート作成手段によって作成されたコーディネートとの類似度を表示する出力手段とを備えたことを特徴とするデータ管理システム。
【請求項２】
前記出力手段は、前記コーディネート作成手段によって作成されたコーディネートと一致あるいは大部分が一致するようなコーディネートが前記検索手段によって検索された場合に警告を出力する警告手段を有することを特徴とする請求項１に記載のデータ管理システム。
【請求項３】
前記類似度の判定基準は、前記コーディネートを構成するデータの組み合わせの一致度に対応するものであることを特徴とする請求項２に記載のデータ管理システム。
【請求項４】
前記類似度の判定基準は、前記コーディネートを構成するデータの占める割合に対応するものであることを特徴とする請求項２に記載のデータ管理システム。
【請求項５】
前記類似度の判定基準は、前記コーディネートを構成するデータの組み合わせの一致度に対応する第１の基準と、前記コーディネートを構成するデータの占める割合に対応する第２の基準からなることを特徴とする請求項２に記載のデータ管理システム。
【請求項６】
前記コーディネートはワードローブの組み合わせによって構成され、前記第１の基準はワードローブの組み合わせの一致度でありコーディネートを比較して一致するワードローブの数が多い場合に類似度が高くなるように判定され、前記第２の基準はワードローブの前記コーディネートに占める面積の割合であり当該ワードローブが大きいほど類似度が高くなるように判定されるものであることを特徴とする請求項５に記載のデータ管理システム。
【請求項７】
前記コーディネート作成手段は、作成手したコーディネートに検索インデックスを付加して登録可能であることを特徴とする請求項１に記載のデータ管理システム。
【請求項８】
前記コーディネートはワードローブの組み合わせによって構成され、前記ワードローブや商品の画像を撮影して登録する画像入力手段を備えたことを特徴とする請求項７に記載のデータ管理システム。
【請求項９】
前記画像入力手段は、前記ワードローブを撮影する際、当該ワードローブに関連する情報を持つバーコードや2次元コードを連続して撮影することにより前記ワードローブの画像と関連する情報をリンクさせて記憶することができるように構成したことを特徴とする請求項８に記載のデータ管理システム。
【請求項１０】
前記出力手段は、コーディネートの類似度を判定する所定の基準を備えていることを特徴とする請求項１に記載のデータ管理システム。
【発明の詳細な説明】
【技術分野】
【０００１】
本発明は、データ管理システムに関するものである。
【背景技術】
【０００２】
近年、コンピュータ機器とデジタルカメラ等の画像入力機器を用いたデータベースを利用し、多くの分野で新たなサービスが提供されている。
【０００３】
たとえば服飾品（以下ワードローブと称す）、アクセサリー等の分野では、コンピュータ上における画像処理により、実際に服飾品を身に付けることなく、身に付けたときの状態を仮想的にディスプレイ上で確認することができるようにしたシステムが提供されている。
【０００４】
すなわち予め服飾品、アクセサリー等の画像データ、３次元モデリングデータ等をコンピュータ上のデータベースに登録しておき、ユーザの好み、操作に応じて各服飾品、アクセサリの画像、データを組み合わせ、ユーザを撮影した画像に合成してディスプレイ上に表示するようにしたものである。
【０００５】
各ワードローブの画像で合成分野で活用されている。
【０００６】
このような技術を開示するものとしては、商品をサーバにデータベース化しユーザの行動、好み、気候などのデータベースを元に自動でコーディネートした画像をユーザ端末に供給するコーディネートサービス方法（特許文献１）、Web上にある商品をユーザが入力するユーザのサイズ情報や嗜好を考慮して複数種類のコーディネートした画像のリストを表示するパーソナルコーディネートシステム（特許文献２）等がある。
【特許文献１】特開2002-215770号公報
【特許文献２】特開平10-293529号公報
【発明の開示】
【発明が解決しようとする課題】
【０００７】
しかし、上記先行技術に開示されるような従来のシステムにおいては、いずれのシステムでも作成したコーディネート結果をユーザのコンピュータ端末あるいはディスプレイに表示するのみであり、そのコーディネートの結果を保存して別の機会に利用可能とする発想を備えたものはなく、以前に行ったコーディネート、且つそのコーディネートをいつどのようなシチュエーションに対して行ったかを実際に再現することはできなかった。
【０００８】
したがって、ユーザがあるコーディネートを行ったときには、そのコーディネートの内容（たとえば着ていた服のコーディネートの写真または絵）、及びそれを行った日時、場所、イベント、誰と会ったなどの情報を記録するかユーザ自身が記憶することによって管理しなければならず、その情報の管理は日記に記録、日記から検索する作業またはユーザの記憶に頼るもので手間がかかった。
【０００９】
そこで、本発明の課題は上記した問題点を解決し、コーディネートを作成する際に、そのコーディネートの内容及びそのコーディネートに関する各種情報を管理するとともに、その管理情報の入力を簡略化し、さらに各種の検索を容易としたデータ管理装置を提供することにある。
【課題を解決するための手段】
【００１０】
上記の課題を解決するために本願の請求項１に記載の発明によれば、任意のデータを組み合わせてコーディネートを作成するコーディネート作成手段と、前記コーディネート作成手段によって作成されたコーディネートを当該コーディネートに関連する情報を付加して記憶する記憶手段と、前記コーディネート作成手段によって作成したコーディネートに類似するコーディネートを前記記憶手段に記憶されている複数のコーディネートから検索する検索手段と、前記検索手段によって検索されたコーディネートを表示手段に表示させるとともに、前記コーディネート作成手段によって作成されたコーディネートとの類似度を表示する出力手段とを備えたデータ管理システムを特徴とする。
【発明の効果】
【００１１】
以上説明したように、本発明のコーディネート情報サービスでは過去に着用したコーディネートを記録し、そのコーディネート情報とそのコーディネートをいつ、どこに、誰とあったときになどの関連情報を付加してデータベースに格納し、検索することができるので、任意のワードローブのコーディネートが過去に着用したことのあるものか否か、そのコーディネートがいつ、どこで、どのようなイベントに関連して行われたものか等を容易に検索及び管理することができ、またユーザ以外の端末にも任意のコーディネート情報を提供することができる等、パーソナルユース、服飾産業における情報サービス上において顕著な効果がある。
【発明を実施するための最良の形態】
【００１２】
次に、本発明の詳細を実施例の記述に従って説明する。
【実施例１】
【００１３】
以下、本発明におけるデータ管理システムを各図を参照しながらその実施形態について説明する。
【００１４】
本発明のデータ管理システムの概要は、ユーザのワードローブ、各種関連商品等をそれらのコーディネート情報、そのコーディネートに関連するイベント、日時、日記のようなユーザのコメント、それらに関する各種情報等とともにデータベースに格納し、後から各イベントに関連するコーディネートや、逆に任意のコーディネートに関連する各種イベント、日時等を検索可能としたものである。
【００１５】
またデータベースに各種情報を入力するための入力端末は、デジタルカメラ等の画像入力装置を備えたユーザ端末によって実現されている。
【００１６】
本発明におけるデータ管理システムは、コーディネート情報サービスでコーディネートする対象であるユーザのワードローブまたは商品4とワードローブ情報5及び本コーディネート日記サービスを提供する。
【００１７】
またワードローブ情報5とはたとえば分類情報（Tシャツ、ジャケット等）、サイズ（バスト、ヒップ、ウエスト等）、色（赤、青、黄）等の情報である。
【００１８】
これらの情報はワードローブ情報5のタグに付いている2次元コードによって保持されている。
【００１９】
コーディネート情報サービスを実現するデータ管理システムは、画像入力手段付きユーザ端末3  によって実現されており、その構成を図２に示す。同図において、６はデジタルカメラ等によって構成され、ユーザ、各種ワードローブ、アクセサリー等のコーディネートの対象となる画像を入力する画像入力手段である。８は画像入力手段６によって入力された画像を予め定められたあるいは同時に入力された分類、ジャンルに対応するタグを付与された状態で記憶する記憶手段で、ハードディスク、光ディスク等の大容量の記憶手段である。９は画像入力手段６による画像以外の情報を入力するための入力手段で、コンピュータのキーボード、マウス等の入力手段を初めとして、インターネットあるいはローカルなネットワークを介して各種情報を入力することもできる。
【００２０】
１０は画像入力手段６、入力手段９等によって入力された画像、各種情報を表示するとともに、各種コーディネートの処理、それに伴う作業、結果を表示する表示手段としてのモニタディスプレイである。
【００２１】
７は画像入力手段６、入力手段９、表示手段１０、記憶手段８を制御するコンピュータによって実現される制御手段であり、これらのシステムはパーソナルコンピュータによって実現することができる。
【００２２】
以下、上記のデータ管理システムによって実現される本発明のコーディネート情報サービスの機能とそれぞれの機能について図を参照しながら説明する。
【００２３】
本発明のコーディネート情報サービスには、4つの機能がある。それらの機能を図３に示す。またその機能を実行するための機能選択用のメニュー画面を図４に示す。
【００２４】
図３からわかるように、コーディネート情報サービスを起動すると、処理の選択を行うstep1へと移行し、ワードローブ登録（step2)、ユーザ情報登録（step3)、コーディネート作成（step4)、コーディネート日記作成（step5)、終了の選択を行うことができる。
【００２５】
具体的には、コーディネート情報サービスを起動すると図 4で示すメニュー画面P23が表示手段10に表示される。選択画面のワードローブ登録ボタンP24、ユーザ情報登録ボタンP25、コーディネート作成ボタンP26、コーディネート日記ボタンP27、アプリケーション終了ボタンP28から入力手段9でクリックしそれぞれの機能を選択する。
【００２６】
以下にボタンP24〜P28をクリックしたときの処理を説明する。
【００２７】
（１）ワードローブ登録
ワードローブ登録P24はユーザの所持するワードローブもしくは商品をデータベースに登録する機能である。以下にワードローブ登録機能の手順について説明する。
【００２８】
まず、画像入力手段6でユーザのワードローブまたは商品4を画像入力手段6で撮影しその後ワードローブ情報5のタグに付いているバーコードまたは2次元コードを画像入力手段6で撮影する。
【００２９】
ワードローブの画像とワードローブ情報の撮影の順序は問わないがリンクさせたい情報どうしを続けて撮影する必要がある。
【００３０】
図４でワードローブ登録ボタンP24をクリックすると、制御手段7は撮影されたワードローブの画像とワードローブ情報5を記憶手段8にある画像解析プログラムを実行することによって画像解析し、ワードローブ画像とワードローブ情報を記憶手段8のデータベースに登録する。
【００３１】
（２）ユーザ情報登録
ユーザ情報登録はコーディネートするワードローブと合成するユーザの画像とユーザの体型情報を登録する機能である。以下にユーザ情報登録の手順を説明する。
【００３２】
画像入力手段6でユーザの全身像を撮影する。ユーザ情報登録ボタンP25をクリックすると、入力手段9でユーザの体型データを入力する。
【００３３】
図５で示すように、体型データは身長、体重、身丈、袖の長さ、股上、股下、ウエスト、ヒップ、足のサイズなどである。
【００３４】
またユーザの画像12は一つとは限らない。図５のユーザの画像リスト15で示すように髪型が違うなどの複数の画像を登録できる。
【００３５】
（３）コーディネート作成
コーディネート作成P26ではユーザは記憶手段8に保存したワードローブのデータベースからワードローブを検索して選択し登録したユーザの画像の上にコーディネートを作成する。もし登録したユーザの画像が複数の場合はいずれか一つを選択する。
【００３６】
コーディネート作成の処理を図６  コーディネート作成の処理を説明するフローチャートと、図７  ワードローブ分類選択画面、図９  ワードローブ一覧表示画面、図１０  ワードローブキーワード検索画面、図１１  コーディネートの完成画面を使用して説明する。
【００３７】
図４でコーディネート作成ボタンP26がクリックされると  図６  コーディネート作成において、表示手段10には図７  ワードローブ分類選択画面（ステップS1）が表示される。ユーザは図７  ワードローブ分類選択画面でワードローブの分類（Tシャツ、ジャケット、パンツなど）の絵をマウスなどの入力手段でクリックして検索する分類を選択する。ここではトップス（Tシャツ、ブラウス、キャミソールなど）をクリックして選択した。
【００３８】
ワードローブの分類が選択されると、表示手段10には図８  検索方法選択画面（ステップS2）が表示される。
【００３９】
図８  検索方法選択画面（ステップS2  A）でワードローブの一覧表示ボタンP5をクリックした場合図９  ワードローブ一覧表示画面のように選択したワードローブの分類の画像一覧が表示手段10に表示される。
【００４０】
次にユーザは表示された一覧より気に入ったワードローブを選択し仮想コーディネートウインドウP2に表示されるユーザの画像に重ねてコーディネートする（ステップS3）。選択したワードローブが気に入った場合は確定ボタンP9をクリックしワードローブの選択を確定する（ステップS4  A）。
【００４１】
もし選択したワードローブが気に入らない場合は取り消しボタンP10をクリックし別のワードローブを選択する（ステップS4  B）。
【００４２】
ワードローブの選択が確定して次のワードローブの検索をする場合、もしくは別のワードローブから検索をしたい場合は戻るボタンP11をクリックし図７  ワードローブ分類選択画面に戻る。（ステップS4  C）
図８  検索方法選択画面（ステップS2  B）でキーワード検索ボタンP6をクリックした場合はキーボードなどの入力手段9を使い色、柄、ブランドなどキーワードを入力し検索ボタンP15をクリックする。
【００４３】
図１０  ワードローブキーワード検索画面で示すように検索結果一覧P13が表示されるので（ステップS5）
次にユーザは表示された検索結果一覧P13より気に入ったワードローブを選択し仮想コーディネートウインドウP2に表示されるユーザの画像に重ねてコーディネートする（ステップS7）。
【００４４】
気に入った場合は確定ボタンをクリックしワードローブの選択を確定する。（ステップS８  A）
もし選択したワードローブが気に入らない場合は取り消しボタンP16をクリックし（ステップS8  B）別のワードローブを選択する。（ステップS6  YES  、ステップS7  B）
もし検索結果一覧P13が気に入らない場合は取り消しボタンP16をクリックし（ステップS8  B、ステップS6  NO）キーワードを入力しなおし検索ボタンP15をクリックし再度検索をする。（ステップS5）
別のワードローブから検索をしたい場合は戻るボタンP17をクリックし図７  ワードローブ分類選択画面に戻る。（ステップS8  C）
コーディネートが完成した場合は図１１  コーディネートの完成画面で確定ボタンP18をクリックする。（ステップS9  YES）
まだ完成していない場合は図７  ワードローブ分類選択画面に戻る。（ステップS9  NO  ステップS1）
コーディネートが完成した場合（ステップS9  YES）、記憶手段8にある類似度判定プログラムが実行され、もしまったく同じまたは類似度の高いコーディネートがあると判定された場合はそのリストを表示手段10に表示する。（ステップS10）
ユーザはその結果を確認して作成したコーディネートの登録の是非を決定する。（ステップS11）
もし類似度が高く作成したコーディネートを破棄する場合は（ステップ11  A）作成したコーディネートは破棄される。（ステップS12）
もし類似度が高く作成したコーディネートを再度ワードローブの一部を変更してコーディネートし直す場合（ステップS11  B）は図７  ワードローブ分類選択画面（ステップS1）が類似度の結果リストP22とともに表示される。（図１２  再コーディネート画面）
もし同様のコーディネートがなかったもしくは類似度が低く作成したコーディネートの登録を選択する場合（ステップS11  C）は日記に登録するまたはお気に入りに登録を選択する。（ステップS13）
お気に入りに登録ボタンP21をクリックした場合（ステップS13  B）お気に入りのコーディネートリスト図１３に登録される。
【００４５】
コーディネート日記に登録P20をクリックした場合（ステップS13  A）、表示手段10にコーディネート日記に登録する図１５  インデックス入力画面P23が表示される。（ステップS14）
図１５  インデックス入力画面でコーディネートのインデックスを入力手段9で入力する。登録ボタンP24をクリックする。（ステップS20）
（４）コーディネート日記
コーディネート日記ボタンP27をクリックすると、図１４のフローに従って過去のコーディネートをインデックスで検索するか、コーディネートを日記に登録するのか選択する。（ステップS15）
コーディネートの検索を選んだ場合（ステップS15  A）
図１６  コーディネート検索入力画面でインデックスのキーワードを入力して検索する。（ステップS16）
目的の過去のコーディネート日記が見つかって検索を終了する場合は（ステップS17  NO）
見つからず入力するインデックスのキーワードを変更して再検索する場合は（ステップS17  YES）
過去のコーディネート日記を参考にコーディネートを作成して新しくコーディネート日記を作成するかお気に入りコーディネートから選んでコーディネート日記を作成するか選択する。（ステップS18）
もしコーディネートを作成して新しくコーディネート日記を作成する場合（ステップS18  B、ステップS21  NO）は図６  コーディネート作成STEP3へ進みコーディネートを作成し登録する。（ステップS14）
お気に入りコーディネートのリストを参考にコーディネートを作成する場合（ステップS18  B、ステップS21  YES）はお気に入りリストからコーディネートを検索し（ステップS19）、図６  コーディネート作成STEP3へ進みコーディネートを作成し登録する。（ステップS14）
お気に入りのコーディネートのリストから選択してコーディネート日記を作成する場合（ステップS18  A）はお気に入りリストからコーディネートを検索し（ステップS19）、コーディネートを日記に登録する画面（ステップS14）でコーディネートのインデックスを入力する。（ステップS20）
（５）アプリケーション終了
上述した各種処理を終了し、アプリケーションを終了する場合は、終了ボタンP２８をクリックすることによってメニュー画面を抜けることができる。
【００４６】
このように、ユーザーは図４のメニュー画面にしたがい、必要な機能をクリックして実行することにより、各種ワードローブのコーディネートの作成、ユーザ情報の登録、コーディネートの検索、変更、日記の作成／検索等の作業を画面を見ながら実効することができる。
【実施例２】
【００４７】
実施形態1で説明した図１のワードローブ情報5を持つ2次元コードとバーコードは同様の情報を持つICチップに置き換えられる。
【００４８】
システムには図１７に示すようにICチップ読取り手段14が追加される。
【００４９】
コーディネート日記には画像（写真）を登録（アルバムのように）することができる。
【００５０】
コーディネートと同様にインデックスを付け検索することができる。
【００５１】
作成したコーディネートに使用するワードローブをカウントして、その使用頻度でワードローブのお気に入り度を判定する。過去一年間や春のなど一定の日付でそのワードローブのお気に入りリストを表示する。
【００５２】
またコーディネートの類似度が一定レベル以上の似ているコーディネートをカウントしてお気に入りのコーディネートを表示する。過去一年間や春のなど一定の日付でそのコーディネートのお気に入りリストを表示する。
【００５３】
実際のショッピング中にお店で気に入ったワードローブを見つけた場合に、図１の画像入力手段付きユーザ端末3で気に入ったワードローブとそれに付属するバーコードや２次元コードを撮影し記憶手段8に取り込み、所有するワードローブとコーディネートすることができる。これによって自分の所有するワードローブと商品がどのようにコーディネートできるのか仮想的に確認することができる。
【００５４】
自分の所有するワードローブだけではなく他のユーザ（Ａさん、Ｂさん、Ｃさん…）の所持するワードローブや商品を含めてコーディネートすることができる。
【００５５】
本発明のコーディネート日記システムを持つＡさんからＢさんへワードローブのデータを図１７の通信装置11によって転送することができる。例えば、Ａさんは、Ｂさんの持っているバッグを自分の仮想コーディネートの中に取り入れてみる。体型が似ている場合はその他のワードローブも同様にしてコーディネートに取り入れることができる。
【００５６】
またコーディネート日記に着用するまたは着用したコーディネートは実際にそのコーディネート着用しているデジタル写真を撮影し制御手段7で画像分析し登録しているワードローブから特定する。
【００５７】
この結果とユーザが入力するコーディネートインデックスによりコーディネート日記を作成する。
【００５８】
また仮想的にコーディネートをするソフトウェアでワードローブや商品をデータベース化する手段において、ワードローブの画像とワードローブの情報を持つ2次元コードを撮ることで登録できるためユーザの入力作業負荷をなくすことができる。
【図面の簡単な説明】
【００５９】
【図１】ユーザのワードローブまたは商品とワードローブ情報と画像入力手段付きユーザ端末の図。
【図２】コーディネート日記サービスで使用される画像入力手段付きユーザ端末の構成を説明する図。
【図３】コーディネート日記サービスの4つの機能を説明する図。
【図４】機能選択画面。
【図５】ユーザの情報登録を説明する図。
【図６】コーディネート作成を説明するためのフローチャート。
【図７】ワードローブ選択画面。
【図８】検索方法選択画面。
【図９】ワードローブ一覧表示画面。
【図１０】ワードローブキーワード検索画面。
【図１１】コーディネートの完成画面。
【図１２】再コーディネート画面。
【図１３】コーディネートの登録先選択画面。
【図１４】コーディネート日記作成を説明するためのフローチャート。
【図１５】コーディネート日記のインデックス入力画面。
【図１６】コーディネート検索入力画面。
【図１７】システム構成図。
【符号の説明】
【００６０】
３  画像入力手段付きユーザ携帯端末
４  ユーザのワードローブまたは商品
５  ワードローブ情報
６  画像入力手段
７  制御手段
８  記憶手段
９  入力手段
１０  表示手段
１２  ユーザの画像
１３  ユーザの体型データ
１５  ユーザの画像リスト
Ｐ２  仮想コーディネート画面
Ｐ３  ワードローブ分類選択画面
Ｐ４  検索方法選択画面
Ｐ５  一覧表示ボタン
Ｐ６  キーワード選択ボタン
Ｐ８  Tops一覧表示画面
Ｐ９、１４、１８  確定ボタン
Ｐ１０、１６  取り消しボタン
Ｐ１１、１７  戻るボタン
Ｐ１３  キーワード検索入力および検索結果一覧表示画面
Ｐ１５  検索ボタン
Ｐ２２  類似度判定結果リスト
Ｐ２０  日記に登録ボタン
Ｐ２１  お気に入りに登録ボタン
Ｐ２３  コーディネートのインデックス入力画面
Ｐ２４、２６  登録ボタン
Ｐ２５  コーディネート検索キーワード入力画面
【図１】
2010128902.tif 000003
【図２】
2010128902.tif 000004
【図３】
2010128902.tif 000005
【図４】
2010128902.tif 000006
【図５】
2010128902.tif 000007
【図６】
2010128902.tif 000008
【図７】
2010128902.tif 000009
【図８】
2010128902.tif 000010
【図９】
2010128902.tif 000011
【図１０】
2010128902.tif 000012
【図１１】
2010128902.tif 000013
【図１２】
2010128902.tif 000014
【図１３】
2010128902.tif 000015
【図１４】
2010128902.tif 000016
【図１５】
2010128902.tif 000017
【図１６】
2010128902.tif 000018
【図１７】
2010128902.tif 000019